【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
集積回路であって、
前記集積回路の第１の外部端子に結合され、第４の外部端子が供給閾値に充電された後の初期化期間中に前記集積回路の前記第４の外部端子と前記集積回路の前記第１の外部端子との間に結合された第１の抵抗外部回路からの信号を測定するための閾値検出回路と、
前記集積回路の第２の外部端子と前記第４の外部端子との間に結合され、前記集積回路の前記初期化期間中に前記第４の外部端子を前記供給閾値に充電するために結合されたレギュレータ回路と、
前記閾値検出回路に結合され、前記第４の外部端子が前記供給閾値に充電された後の前記初期化期間中に前記第４の外部端子と前記第１の外部端子との間に結合された前記第１の抵抗外部回路から測定された前記信号に応答して前記集積回路のパラメータ／モードを選択するための選択回路とを備え、前記第１の外部端子はさらに、各々が１つ以上の構成要素を備える１つ以上のさらなる外部回路に結合され、前記１つ以上のさらなる外部回路は、前記初期化期間以外の通常動作中に前記集積回路が用いることになる前記第１の外部端子に１つ以上の信号を与えて、前記集積回路の前記初期化期間完了後に少なくとも１つのさらなる機能を前記集積回路に提供するために結合される、集積回路。
【請求項２】
前記少なくとも１つのさらなる機能は、前記集積回路のためのフィードバック端子機能を備える、請求項１に記載の集積回路。
【請求項３】
前記集積回路の前記第２の外部端子と前記集積回路の第３の外部端子との間に結合されたスイッチをさらに備える、請求項１に記載の集積回路。
【請求項４】
前記パラメータ／モードは、前記スイッチに流入する電流のピーク電流閾値レベルを備える、請求項３に記載の集積回路。
【請求項５】
前記集積回路は、パワーコンバータに含まれ、前記パワーコンバータへの入力電圧を表わす信号を受信するために結合され、前記パラメータ／モードは、前記入力電圧に応答して、前記スイッチに流入する電流のピーク電流閾値レベルの調節を設定するパラメータを備える、請求項３に記載の集積回路。
【請求項６】
前記パラメータ／モードはさらに、前記入力電圧のある特定の値での前記スイッチのピーク電流閾値レベルを備える、請求項５に記載の集積回路。
【請求項７】
前記第１の抵抗外部回路が前記集積回路の供給端子と前記集積回路の前記第１の外部端子との間に結合されるように、前記集積回路の前記第４の外部端子は前記集積回路の供給端子を備える、請求項１に記載の集積回路。
【請求項８】
前記初期化期間中に前記集積回路によって設定される前記パラメータ／モードは、前記集積回路の動作周波数を備える、請求項１に記載の集積回路。
【請求項９】
前記集積回路の前記動作周波数は、前記集積回路の最大動作周波数である、請求項８に記載の集積回路。
【請求項１０】
前記第１の抵抗外部回路から測定される前記信号は電流である、請求項１に記載の集積回路。
【請求項１１】
電源制御回路であって、
第１の外部端子に結合され、第４の外部端子が供給閾値に充電された後の初期化期間中に前記電源制御回路の前記第１の外部端子において信号を測定するための閾値検出回路と、
前記電源制御回路の第２の外部端子と前記電源制御回路の前記第４の外部端子との間に結合され、前記電源制御回路の前記初期化期間中に前記第４の外部端子を前記供給閾値に充電するために結合されたレギュレータ回路と、
前記閾値検出回路に結合され、前記第１の外部端子において測定された前記信号に応答して前記電源制御回路のパラメータ／モードを選択するための選択回路とを備え、前記第１の外部端子はさらに、前記初期化期間以外の通常動作中に１つ以上のさらなる信号を受信して、前記初期化期間の完了後に少なくとも１つのさらなる機能を前記電源制御回路に提供するために結合される、電源制御回路。
【請求項１２】
前記少なくとも１つのさらなる機能は、前記電源制御回路のためのフィードバック端子機能を備える、請求項１１に記載の電源制御回路。
【請求項１３】
前記電源制御回路によって駆動されるように結合されたスイッチに結合される、請求項１１に記載の電源制御回路。
【請求項１４】
前記パラメータ／モードは、前記スイッチに流入する電流のピーク電流閾値レベルを備える、請求項１３に記載の電源制御回路。
【請求項１５】
電源回路に含まれ、前記電源回路への入力電圧を表わす信号を受信するために結合された、請求項１３に記載の電源制御回路であって、前記パラメータ／モードは、前記入力電圧に応答して、前記スイッチに流入する電流のピーク電流閾値レベルの調節を設定するパラメータを備える、請求項１３に記載の電源制御回路。
【請求項１６】
前記パラメータ／モードはさらに、前記入力電圧のある特定の値での前記スイッチのピーク電流閾値レベルを備える、請求項１５に記載の電源制御回路。
【請求項１７】
前記スイッチおよび前記電源制御回路は集積回路に含まれる、請求項１６に記載の電源制御回路。
【請求項１８】
前記第１の外部端子において測定される前記信号は、前記電源制御回路の前記第４の外部端子と前記電源制御回路の前記第１の外部端子との間に結合された抵抗外部回路を流れる、請求項１１に記載の電源制御回路。
【請求項１９】
前記初期化期間中に設定される前記パラメータ／モードは、前記電源制御回路の動作周波数を備える、請求項１１に記載の電源制御回路。
【請求項２０】
前記動作周波数は、前記電源制御回路の最大動作周波数である、請求項１９に記載の電源制御回路。
【請求項２１】
前記第１の外部端子において測定される前記信号は電流である、請求項１１に記載の電源制御回路。
【請求項２２】
方法であって、
集積回路の初期化期間中に前記集積回路の電圧供給端子を供給閾値に充電するステップと、
前記電圧供給端子が前記供給閾値に充電された後の前記初期化期間中に前記集積回路の外部端子において信号を測定するステップと、
前記信号に応答して前記集積回路のパラメータ／モードを選択するステップと、
前記電圧供給端子が前記供給閾値に充電された後の前記初期化期間中に前記外部端子において測定された前記信号に応答して前記パラメータ／モードを選択した後、前記集積回路の通常動作中に前記外部端子のさらなる機能を利用しながら前記集積回路を動作させるステップとを備える、方法。
【請求項２３】
前記初期化期間後の前記集積回路の前記通常動作中に前記集積回路で電源を制御するステップをさらに備える、請求項２２に記載の方法。
【請求項２４】
前記電圧供給端子が前記供給閾値に充電された後の前記初期化期間中に前記集積回路の前記外部端子において前記信号を測定するステップは、前記集積回路の前記外部端子と前記集積回路の前記電圧供給端子との間に結合された抵抗器を流れる電流を測定するステップを備える、請求項２２に記載の方法。
【請求項２５】
前記外部端子の前記さらなる機能はフィードバック端子機能を備え、前記外部端子は、前記集積回路の前記初期化期間中の前記信号に応答して前記パラメータ／モードを選択した後、前記集積回路の通常動作中にフィードバック信号を受信する、請求項２２に記載の方法。
【請求項２６】
前記集積回路の通常動作中に前記外部端子の前記さらなる機能を利用しながら前記集積回路を動作させるステップは、電源の入力から前記電源の出力へのエネルギの伝達を前記集積回路で調整するステップを備える、請求項２２に記載の方法。
【請求項２７】
前記集積回路の前記パラメータ／モードを選択するステップは、前記電源の入力電圧に応答して、前記集積回路に含まれるスイッチに流入する電流のピーク電流閾値レベルを調節するステップを備える、請求項２６に記載の方法。
【請求項２８】
電源であって、
前記電源の入力と前記電源の出力との間に結合されたエネルギ伝達素子と、
前記エネルギ伝達素子の入力に結合されたスイッチと、
前記スイッチに結合され、前記スイッチの切換を制御して、前記電源の前記入力から前記電源の前記出力へのエネルギの伝達を調整するためのコントローラとを備え、前記コントローラは、第４の外部端子が供給閾値に充電された後の前記コントローラの初期化期間中に第１の外部端子において測定された信号に応答して前記コントローラのパラメータ／モードを設定するためのものであり、前記コントローラは、前記初期化期間後に前記第１の外部端子を利用して、別の信号を受信し、前記コントローラの前記初期化期間後の前記コントローラの通常動作中に別の機能を実行するためのものである、電源。
【請求項２９】
前記コントローラは、
前記第４の外部端子が前記供給閾値に充電された後の前記コントローラの前記初期化期間中に前記第１の外部端子において測定された前記信号を測定するために結合された閾値検出回路と、
前記集積回路の第２の外部端子と前記集積回路の前記第４の外部端子との間に結合され、前記集積回路の前記初期化期間中に前記第４の外部端子を前記供給閾値に充電するために結合されたレギュレータ回路と、
前記閾値検出回路に結合され、前記第４の外部端子が前記供給閾値に充電された後の前記コントローラの前記初期化期間中に前記第１の外部端子において測定された前記信号に応答して前記コントローラの前記パラメータ／モードを選択するための選択回路とを備える、請求項２８に記載の電源。
【請求項３０】
前記第４の外部端子が前記供給閾値に充電された後の前記初期化期間中に前記第１の外部端子において測定される前記信号は電流である、請求項２９に記載の電源。
【請求項３１】
前記コントローラは、前記第４の外部端子が前記供給閾値に充電された後の前記初期化期間中の前記第１の外部端子における前記電流の測定値に応答して前記コントローラの前記パラメータ／モードを設定するために結合される、請求項３０に記載の電源。
【請求項３２】
集積回路であって、
第４の外部端子が供給閾値に充電された後の初期化期間中に前記集積回路の前記第４の外部端子と前記集積回路の第１の外部端子との間に結合された第１の抵抗外部回路からの信号を測定するために結合された閾値検出回路と、
前記集積回路の第２の外部端子と前記第４の外部端子との間に結合され、前記集積回路の前記初期化期間中に前記第４の外部端子を前記供給閾値に充電するために結合されたレギュレータ回路と、
前記閾値検出回路に結合され、前記第４の外部端子が前記供給閾値に充電された後の前記初期化期間中に前記集積回路の前記第４の外部端子と前記集積回路の前記第１の外部端子との間に結合された前記第１の抵抗外部回路から測定された前記信号に応答して前記集積回路のパラメータ／モードを選択するための選択回路とを備える、集積回路。
【請求項３３】
前記集積回路の前記第２の外部端子と前記集積回路の第３の外部端子との間に結合されたスイッチをさらに備える、請求項３２に記載の集積回路。
【請求項３４】
前記パラメータ／モードは、前記スイッチに流入する電流のピーク電流閾値レベルを備える、請求項３３に記載の集積回路。
【請求項３５】
前記集積回路は、パワーコンバータに含まれ、前記パワーコンバータへの入力電圧を表わす信号を受信するために結合され、前記パラメータ／モードは、前記入力電圧に応答して、前記スイッチに流入する電流のピーク電流閾値レベルの調節を設定するパラメータを備える、請求項３３に記載の集積回路。
【請求項３６】
前記パラメータ／モードはさらに、前記入力電圧のある特定の値での前記スイッチのピーク電流閾値レベルを備える、請求項３５に記載の集積回路。
【請求項３７】
前記第１の抵抗外部回路が前記集積回路の供給端子と前記集積回路の前記第１の外部端子との間に結合されるように、前記集積回路の前記第４の外部端子は前記集積回路の供給端子を備える、請求項３２に記載の集積回路。
【請求項３８】
前記初期化期間中に前記集積回路によって設定される前記パラメータ／モードは、前記集積回路の動作周波数を備える、請求項３２に記載の集積回路。
【請求項３９】
前記集積回路の前記動作周波数は、前記集積回路の最大動作周波数である、請求項３８に記載の集積回路。
【請求項４０】
前記第１の抵抗外部回路から測定される前記信号は電流である、請求項３２に記載の集積回路。
【請求項４１】
前記集積回路の前記第１の外部端子はさらに、前記初期化期間以外の前記集積回路の通常動作中にフィードバック信号を受信するために結合される、請求項３２に記載の集積回路。